(57)【要約】【課題】  映像表示機能付座標入力制御装置において、ピクチャー・イン・ピクチャー機能のサブ画面の周縁部分をペンで操作する場合に、少しでも、メイン画面の領域にペンが入ってしまうと、サブ画面への入力が途切れ意図しないにもかかわらず、メイン画面の操作を行ってしまうという問題があった。【解決手段】  画像Ｂで座標指示操作が開始され当該第画像Ｂ内での連続座標指示操作中に指示された位置座標が、画像Ａ上にあるか判定し、画像Ａ上であると判定されると画像Ｂの周縁座標に変換し、その画像Ｂに対応するパソコンに座標データを発行する。【選択図】  図４
2007072503.tif 000002
【特許請求の範囲】
【請求項１】
マルチウインドウ表示が可能な映像表示機能付座標入力制御装置の座標入力を制御する映像表示機能付座標入力制御装置であって、
指示された前記映像表示機能付座標入力制御装置の画面上の位置座標を識別する識別手段と、
前記識別手段により識別された位置座標が属しているウインドウを判別し、当該ウインドウに対応する情報処理装置に前記位置座標を示す座標データを送信する手段と、
第１ウインドウで座標指示操作が開始され連続座標指示操作中に、前記識別手段により識別される位置座標が、前記第１ウインドウが少なくとも一部を遮蔽している第２ウインドウに含まれるかどうかを判定する判定手段と、
前記判定手段により第２ウインドウに含まれると判断されると、第１ウインドウの周縁座標に変換し、第１ウインドウに対応する第１情報処理装置に対して前記変換後の座標データを送信する手段と、
を有することを特徴とする映像表示機能付座標入力制御装置。
【請求項２】
マルチウインドウ表示が可能な映像表示機能付座標入力制御装置の座標入力を制御する映像表示機能付座標入力制御装置であって、
指示された前記映像表示機能付座標入力制御装置の画面上の位置座標を識別する識別手段と、
前記識別手段により識別された位置座標が属しているウインドウを判別し、当該ウインドウに対応する情報処理装置に前記位置座標を示す座標データを送信する手段と、
第１ウインドウで座標指示操作が開始され連続座標指示操作中に、前記識別手段により識別される位置座標が、前記第１ウインドウが少なくとも一部を遮蔽している第２ウインドウに含まれるかどうかを判定する判定手段と、
前記判定手段により第２ウインドウに含まれると判断されると、第１ウインドウに対応する第１情報処理装置と、第２ウインドウに対応する第２情報処理装置のどちらにも座標データを送信しない手段と、
を有することを特徴とする映像表示機能付座標入力制御装置。
【請求項３】
前記連続座標指示操作は、ドラッグ開始からドラッグ終了までの座標指示操作が行われる場合を意味することを特徴とする請求項１又は２に記載の映像表示機能付座標入力制御装置。
【請求項４】
前記連続座標指示操作は、前回の座標指示操作から所定時間内に次の座標指示操作が行われる場合を意味することを特徴とする請求項１又は２に記載の映像表示機能付座標入力制御装置。
【請求項５】
前記連続座標指示操作は、前回の座標指示操作で指示された位置と、次の座標指示操作で指示された位置との間の距離が所定値以下の場合であることを特徴とする請求項１又は２に記載の映像表示機能付座標入力制御装置。
【請求項６】
マルチウインドウ表示が可能な映像表示機能付座標入力制御装置の座標入力を制御する映像表示機能付座標入力制御装置における座標入力制御方法であって、
指示された前記映像表示機能付座標入力制御装置の画面上の位置座標を識別する識別工程と、
前記識別工程により識別された位置座標が属しているウインドウを判別し、当該ウインドウに対応する情報処理装置に前記位置座標を示す座標データを送信する工程と、
第１ウインドウで座標指示操作が開始され連続座標指示操作中に、前記識別工程により識別される位置座標が、前記第１ウインドウが少なくとも一部を遮蔽している第２ウインドウに含まれるかどうかを判定する判定工程と、
前記判定工程により第２ウインドウに含まれると判断されると、第１ウインドウの周縁座標に変換し、第１ウインドウに対応する第１情報処理装置に対して前記変換後の座標データを送信する工程と、
を有することを特徴とする映像表示機能付座標入力制御装置の座標入力制御方法。
【請求項７】
マルチウインドウ表示が可能な映像表示機能付座標入力制御装置の座標入力を制御する映像表示機能付座標入力制御装置における座標入力制御方法であって、
指示された前記映像表示機能付座標入力制御装置の画面上の位置座標を識別する識別工程と、
前記識別工程により識別された位置座標が属しているウインドウを判別し、当該ウインドウに対応する情報処理装置に前記位置座標を示す座標データを送信する工程と、
第１ウインドウで座標指示操作が開始され連続座標指示操作中に、前記識別工程により識別される位置座標が、前記第１ウインドウが少なくとも一部を遮蔽している第２ウインドウに含まれるかどうかを判定する判定工程と、
前記判定工程により第２ウインドウに含まれると判断されると、第１ウインドウに対応する第１情報処理装置と、第２ウインドウに対応する第２情報処理装置のどちらにも座標データを送信しない工程と、
を有することを特徴とする映像表示機能付座標入力制御装置の座標入力制御方法。
【請求項８】
前記連続座標指示操作は、ドラッグ開始からドラッグ終了までの座標指示操作が行われる場合を意味することを特徴とする請求項６又は７に記載の映像表示機能付座標入力制御装置の座標入力制御方法。
【請求項９】
前記連続座標指示操作は、前回の座標指示操作から所定時間内に次の座標指示操作が行われる場合を意味することを特徴とする請求項６又は７に記載の映像表示機能付座標入力制御装置の座標入力制御方法。
【請求項１０】
前記連続座標指示操作は、前回の座標指示操作で指示された位置と、次の座標指示操作で指示された位置との間の距離が所定値以下の場合であることを特徴とする請求項６又は７に記載の映像表示機能付座標入力制御装置の座標入力制御方法。
【請求項１１】
請求項６乃至１０のいずれか１項に記載の座標入力制御方法を実行することを特徴とするプログラム。
【請求項１２】
請求項１１に記載のプログラムを記憶していることを特徴とする、コンピュータにより読取り可能な記憶媒体。
【発明の詳細な説明】
【技術分野】
【０００１】
本発明は、マルチウインドウ表示が可能な映像表示機能付座標入力制御装置に関するものである。
【背景技術】
【０００２】
従来、会議等のディスプレイとして、パーソナルコンピュータを接続し、デジタイザやタッチパネル等の座標入力機能を備えたものがある。このディスプレイでは、ペンや指により指定された画面上の座標情報をパーソナルコンピュータに入力し、ポインティングデバイスとしても使用することができる。これにより、ディスプレイの画面上で、指示した位置にカーソルを移動でき、また、ペンに設けられたマウスのボタンに対応するスイッチの操作や表示画面上でのタッチ操作により、その情報をボタン操作情報としてパーソナルコンピュータに入力できる。
【０００３】
また、ディスプレイに複数の映像入力端子を備え、画面に表示する映像信号の入力端子をボタン等で選択できるものがある。また、これら複数の映像入力端子をボタン等で同時に選択し、これら複数の映像入力端子空の映像信号を同時に画面に表示できるピクチャー・イン・ピクチャー機能やピクチャー・アウト・ピクチャー機能を備えるものがある。ここでピクチャー・イン・ピクチャー機能は、メイン画面の中にサブ画面を表示し、ピクチャー・アウト・ピクチャー機能はメインの画面を縮小し、外側の開いた部分にサブの画面を表示する機能である。
【０００４】
また、これら複数の映像入力端子にそれぞれ別々のパーソナルコンピュータからの映像出力を接続して、ピクチャー・イン・ピクチャー機能又は、ピクチャー・アウト・ピクチャー機能により表示できるディスプレイも提案されている。これによれば、ペンや指で画面上が指示されると、その指示された位置に表示されている映像を出力しているパーソナルコンピュータに信号を送り、その画面に対する操作を行うことができるものがある（特許文献１参照）。
【０００５】
また、デジタイザやタッチパネル等の座標入力機能として、同時に複数の領域を操作できる機能を備えたものがある。これによれば、映像入力端子に別々のパーソナルコンピュータを接続し、ピクチャー・イン・ピクチャー機能又は、ピクチャー・アウト・ピクチャー機能により表示を行い、メイン画面の操作とサブ画面の操作をペンや指で操作すると、夫々のパーソナルコンピュータを操作することができる。
【０００６】
また、デジタイザの入力有効領域外を座標指示した場合に、有効領域内かその周縁を座標指示されたものとして処理する機能を備えたものがある。これによれば、ディスプレイ画面の周縁上あるいはその付近に表示されるスクロール項目、メニュー項目等の操作性を向上させることができる（特許文献２参照）。
【特許文献１】特開２００３−２２１７７号公報
【特許文献２】特開２０００−９９２６０号公報
【発明の開示】
【発明が解決しようとする課題】
【０００７】
以上に述べた特許文献１では、ピクチャー・イン・ピクチャー機能のサブ画面の周縁部分をペンで操作する場合に、少しでも、メイン画面の領域にペンが入ってしまうと、サブ画面への入力が途切れ、意図しないにもかかわらず、メイン画面の操作を行ってしまうという問題があった。
【０００８】
また、特許文献２では、ピクチャー・イン・ピクチャー機能には対応できず、領域によって出力先を切り替えることができないという問題があった。
【０００９】
本発明は、上記従来技術の欠点を解決することにある。
【００１０】
また本願発明の特徴は、座標指示操作中に、操作対象のウインドウの外側を座標指示した場合でも、連続操作中であれば操作対象以外のウインドウへの入力は行わず、操作対象のウインドウへの入力を継続することができる点にある。
【課題を解決するための手段】
【００１１】
本発明に係る映像表示機能付座標入力制御装置は以下のような構成を備える。即ち、マルチウインドウ表示が可能な映像表示機能付座標入力制御装置の座標入力を制御する映像表示機能付座標入力制御装置であって、指示された前記映像表示機能付座標入力制御装置の画面上の位置座標を識別する識別手段と、前記識別手段により識別された位置座標が属しているウインドウを判別し、当該ウインドウに対応する情報処理装置に前記位置座標を示す座標データを送信する手段と、第１ウインドウで座標指示操作が開始され連続座標指示操作中に、前記識別手段により識別される位置座標が、前記第１ウインドウが少なくとも一部を遮蔽している第２ウインドウに含まれるかどうかを判定する判定手段と、前記判定手段により第２ウインドウに含まれると判断されると、第１ウインドウの周縁座標に変換し、第１ウインドウに対応する第１情報処理装置に対して前記変換後の座標データを送信する手段と、を有することを特徴とする。
【００１２】
本発明に係る座標入力制御方法は以下のような工程を備える。即ち、マルチウインドウ表示が可能な映像表示機能付座標入力制御装置の座標入力を制御する映像表示機能付座標入力制御装置における座標入力制御方法であって、指示された前記映像表示機能付座標入力制御装置の画面上の位置座標を識別する識別工程と、前記識別工程により識別された位置座標が属しているウインドウを判別し、当該ウインドウに対応する情報処理装置に前記位置座標を示す座標データを送信する工程と、第１ウインドウで座標指示操作が開始され連続座標指示操作中に、前記識別工程により識別される位置座標が、前記第１ウインドウが少なくとも一部を遮蔽している第２ウインドウに含まれるかどうかを判定する判定工程と、前記判定工程により第２ウインドウに含まれると判断されると、第１ウインドウの周縁座標に変換し、第１ウインドウに対応する第１情報処理装置に対して前記変換後の座標データを送信する工程と、を有することを特徴とする。
【発明の効果】
【００１３】
本発明によれば、座標指示操作中に、操作対象のウインドウの外側を座標指示した場合でも、連続操作中であれば操作対象以外のウインドウへの入力は行わず、操作対象のウインドウへの入力を継続することができるという効果がある。
【発明を実施するための最良の形態】
【００１４】
以下、添付図面を参照して本発明の好適な実施の形態を詳しく説明する。尚、以下の実施の形態は特許請求の範囲に係る発明を限定するものでなく、また実施の形態で説明されている特徴の組み合わせの全てが発明の解決手段に必須のものとは限らない。
【００１５】
図１は、本発明の実施の形態に係る映像表示機能付座標入力制御装置（以下、単に座標入力装置）１０１を含む座標入力システムを説明する図である。
【００１６】
図において、座標入力装置１０１は、ＰＣ１０６からの映像信号を映像ケーブル１１０を介して入力し、またＰＣ１０７からの映像信号を映像ケーブル１１１を介して入力する。またこれらＰＣ１０６，１０７のそれぞれと座標入力装置１０１とは、それぞれＵＳＢケーブル１０８，１０９を介して接続されている。
【００１７】
画像Ａ１０２は、ＰＣ１０６から映像ケーブル１１０を介して入力される映像信号に基づいて表示されている画像であり、画像Ｂ１０３はＰＣ１０７から映像ケーブル１１１を介して入力される映像信号に基づいて表示されている画像であり、ここでは画像Ａ１０２の上に画像Ｂ１０３が重ねて表示されている。画像Ａ１０２上で座標指示された座標データはＵＳＢケーブル１０８を介してＰＣ１０６へ供給される。また同様に、画像Ｂ１０３上で座標指示された座標データは、ＵＳＢケーブル１０９を介してＰＣ１０７へ供給される。１０４は座標入力ペンで、画像Ｂ１０３と画像Ａ１０２上で座標を指示するのに使用されている。
【００１８】
尚、ここで、各ＰＣへの座標データの供給方法はＵＳＢケーブルを介して行われているが、本発明はＵＳＢに限定するものではなく、座標データをＰＣへ送信できるものであれば無線であっても構わない。
【００１９】
図２は、本実施の形態に係る座標入力システムの機能構成を説明するブロック図で、前述の図１と共通する部分は同じ記号で示している。
【００２０】
図において、ＰＣ１０６は、映像ケーブル１１０を介して映像信号を出力する映像出力Ｉ／Ｆ５０１と、ＵＳＢケーブル１０８を介してデータを入出力するデータ入出力Ｉ／Ｆ５０２とを備える。ＰＣ１０７も同様に、映像ケーブル１１１を介して映像信号を出力する映像出力Ｉ／Ｆ５０３と、ＵＳＢケーブル１０９を介してデータを入出力するデータ入出力Ｉ／Ｆ５０４とを備える。
【００２１】
座標入力装置１０１は、映像入力Ｉ／Ｆ５０６により、映像ケーブル１１０からの映像信号を受け取り、また映像入力Ｉ／Ｆ５０８により、映像ケーブル１１１からの映像信号を受け取る。映像表示部５０７は表示パネルを有し、映像入力Ｉ／Ｆ５０６からの映像信号と、映像入力Ｉ／Ｆ５０８からの映像信号を入力し、ＣＰＵ５０５からの指示に従ってそれらを表示する。データ入出力Ｉ／Ｆ５０９は、ＰＣ１０６との間で座標データやデバイスデータの送受信を行う。データ入出力Ｉ／Ｆ５１０は、ＰＣ１０７との間で座標データやデバイスデータの送受信を行う。ＣＰＵ５０５は、ＲＯＭ５１３に記憶された制御プログラムに従って、この座標入力装置１０１全体の動作を制御しており、各種データの入出力制御やデータ処理等を行う。座標入力検出部５１１は、画面上で指示された位置の座標を検出すると共に、ペンボタン状態も検出する。ＲＡＭ５１２は、ＣＰＵ５０５による制御動作時にワークエリアとして使用され、各種演算結果や座標データ等を一時的に記憶する。ＲＯＭ５１３は、本実施の形態に係る制御を実行するプログラムや各種データを記憶している。
【００２２】
以上の構成において、座標入力装置１０１は、例えば映像表示部５０７により画像を表示している画面上の位置がペン１０４で指示されると、座標入力検出部５１１によりその指示された座標を求める。そしてその画像が、ＰＣ１０６からの映像信号により表示されていれば、その検出した座標データを入出力Ｉ／Ｆ５０９からデータ入出力Ｉ／Ｆ５０２に送信する。これによりＰＣ１０６は、その入力した座標データを映像と対応するように変換し、映像信号として映像出力Ｉ／Ｆ５０１から映像入力Ｉ／Ｆ５０６に供給する。尚、ＰＣ１０７の場合も同様であるため、その説明を省略する。映像表示部５０７は、ＣＰＵ５０５の制御により、映像入力Ｉ／Ｆ５０６，５０８から入力される映像信号に基づいて、画像の大きさ、表示位置、表示／非表示等を制御し、映像を合成して表示する。
【００２３】
［実施の形態１］
図３は、本発明の実施の形態１に係る動作を説明する図である。以下、図３を参照して、本実施の形態１の動作を説明する。
【００２４】
２０１では、ＰＣ１０７から映像信号に基づく画像Ｂ１０３上でペン１０４を使用して座標入力操作が行われている。この場合は、ペン１０４により指示された座標位置が座標入力検出部５１１で検出され、その座標データがデータ入出力Ｉ／Ｆ５１０を介してＰＣ１０７に送信される。これによりＰＣ１０７でその座標データが処理され、例えば線の描画モードであれば、その指示された座標データに基づいて線が描画され、映像信号として映像入力Ｉ／Ｆ５０８に入力される。これにより線が映像表示部５０７に表示される。
【００２５】
２０２では、ペン１０４により連続して指示されている座標位置が画像Ａ１０２内に入った状態を示している。このときはペン１０４の座標指示位置が画像Ａ１０２の領域に入っているにも拘わらず、ペン１０４により指示された座標データを画像Ｂ１０３の周縁座標に変換しＰＣ１０７に送信する。
【００２６】
ペン１０４の座標指示位置を画像Ｂ１０３の周縁座標に変換する方法は、ｘ座標のみ画像Ａ１０２の領域に入った場合には、ｙ座標はそのままで、ｘ座標を最も近い距離の画像Ｂ１０３の座標とする。ｘ座標のみ画像Ａ１０２の領域に入った場合には、ｙ座標はそのままで、ｘ座標を最も近い距離の画像Ｂ１０３の座標とする。
【００２７】
ｙ座標のみ画像Ａ１０２の領域に入った場合には、ｘ座標はそのままで、ｙ座標を最も近い距離の画像Ｂ１０３の座標とする。
【００２８】
ｘ、ｙ座標両方が画像Ａ１０２の領域に入った場合には、ｘ、ｙ座標を最も近い距離の画像Ｂ１０３の座標とする。
【００２９】
ここでペン１０４により座標指示する操作が連続動作か否かの判定は、ペンダウンからペンアップまでを連続操作とする連続操作判定方法１か、又は前回の指示操作からあらかじめ設定した時間内に次の操作を行った場合は連続操作とし、予め設定した時間以上操作が無い場合には連続操作が終了したと判定するする連続操作判定方法２か、又は前回のペンアップの位置と次の座標指示位置との距離が予め設定した距離以上の場合に連続座標指示操作が終了したと判定する連続操作判定方法３のいずれかで判定する。尚このとき、連続操作判定方法１、連続操作判定方法２、連続操作判定方法３のどれか一つを選択するのではなく、２つ以上の判定方法を並行して用いても構わない。
【００３０】
図４は、本発明の実施の形態１に係る座標入力装置１０１における処理を説明するフローチャートで、ここでは上述した連続操作判定方法１を用いた場合を示している。尚、この処理を実行するプログラムはＲＯＭ５１３に記憶されており、ＣＰＵ５０５の制御の下に実行される。
【００３１】
まずステップＳ１０１で、ペンによる入力があったかどうかを調べ、入力があればステップＳ１０２に進み、その入力が画像Ｂ１０３内の座標指示であるかどうかを判定する。画像Ｂ１０３内でのペン入力でない場合はステップＳ１０８に進み、画像Ａ１０２への入力と判定して、その画像Ａ１０２に対応するＰＣ１０６に、そのペンで指示された座標データを送信してステップＳ１０１に戻る。
【００３２】
一方ステップＳ１０２で、画像Ｂ１０３内でのペン入力の場合はステップＳ１０３に進み、画像Ｂ１０３に対応しているＰＣ１０７へ、そのペン１０４で指示された座標データを送信する。次にステップＳ１０４で、入力がペンダウンであったかを判定し、ペンダウンで無い場合はステップＳ１０１に戻る。ステップＳ１０４でペンダウンであった場合には、ステップＳ１０５に進み、ペン入力があったかどうかを調べる。入力があれば、ステップＳ１０６へ進み、画像Ｂ１０３内の座標指示であるかどうか判定し、画像Ｂ１０３外の場合にはステップＳ１０８に進み画像Ｂの周縁座標に変換して、ステップＳ１０７に進む。ステップＳ１０６で画像Ｂ１０３内の場合には、ステップＳ１０７に進む。ステップＳ１０７では画像Ｂ１０３に対応するＰＣ１０７に座標データを送信して、ステップＳ１０９へ進む。
【００３３】
ステップＳ１０９で入力がペンアップであったかを判定し、ペンアップであれば、ステップＳ１０１に戻り、ペンアップでは無い場合にはステップＳ１０９に戻る。
【００３４】
このように本実施の形態１によれば、画像Ａ１０２に対する入力の操作性を低下することなく、画像Ｂ１０３への周縁部の操作性を向上することができる。
【００３５】
Ｓ１０９において、ペンアップかの判定ではなく、前回の入力からの時間が指定時間以上経過したかの判定にすれば連続操作判定方法２となり、前回のペンアップの位置と次の座標入力の位置が指定距離以上離れたかどうかの判定に変更すれば連続操作判定方法３となる。そのため、連続操作判定方法２と連続操作判定方法３のフローチャートは省略する。
【００３６】
［実施の形態２］
図５は、本発明の実施の形態２に係る動作を説明する図である。以下、図５を参照して、本実施の形態２の動作を説明する。尚，この実施の形態２に係る表示システムの基本構成は前述の実施の形態１の場合と同じであるため、その説明を省略する。
【００３７】
２０５では、ＰＣ１０７から映像信号に基づく画像Ｂ１０３上でペン１０４を使用して座標入力操作が行われている。このとき、ペン１０４により指示された座標位置が座標入力検出部５１１で検出され、その座標データがデータ入出力Ｉ／Ｆ５１０を介してＰＣ１０７に送信される。これによりＰＣ１０７で各座標データが処理され、例えば線の描画モードであれば、その指示された座標データに基づいて、線が描画され、映像信号として映像入力Ｉ／Ｆ５０８に入力される。これにより線が映像表示部５０７に表示される。
【００３８】
２０６では、ペン１０４により連続して指示されている座標位置が画像Ａ１０２内に入った状態を示している。座標データをＰＣ１０６，１０７どちらにも送信しない。
【００３９】
２０７では、連続操作中に再度画像Ｂ１０３内に入力座標を移動した状態を示している。画像Ｂ１０３にペン１０４が入ったときに、ＰＣ１０７へ座標データを送信する。これにより、画像Ｂ１０３からペン１０４が出た座標から画像Ｂ１０３にペン１０４が入った座標へ一気にカーソルが移動する。
【００４０】
ここでペン１０４により座標指示する操作が連続動作か否かの判定は、ペンダウンからペンアップまでを連続操作とする連続操作判定方法１か、又は前回の指示操作からあらかじめ設定した時間内に次の操作を行った場合は連続操作とし、予め設定した時間以上操作が無い場合には連続操作が終了したと判定するする連続操作判定方法２か、又は前回のペンアップの位置と次の座標指示位置との距離が予め設定した距離以上の場合に連続座標指示操作が終了したと判定する連続操作判定方法３のいずれかで判定する。尚このとき、連続操作判定方法１、連続操作判定方法２、連続操作判定方法３のどれか一つを選択するのではなく、２つ以上の判定方法を並行して用いても構わない。
【００４１】
図６は、本発明の実施の形態２に係る座標入力装置１０１における処理を説明するフローチャートで、ここでは上述した連続操作判定方法１を用いた場合を示している。尚、この処理を実行するプログラムはＲＯＭ５１３に記憶されており、ＣＰＵ５０５の制御の下に実行される。
【００４２】
まずステップＳ２０１で、ペンによる入力があったかどうかを調べ、入力があればステップＳ２０２に進み、その入力が画像Ｂ１０３内の座標指示であるかどうかを判定する。画像Ｂ１０３内でのペン入力でない場合はステップＳ２０８に進み、画像Ａ１０２への入力と判定して、その画像Ａ１０２に対応するＰＣ１０６に、そのペンで指示された座標データを送信してステップＳ２０１に戻る。
【００４３】
Ｓ２０２で画像Ｂ１０３内の座標指示の場合は、Ｓ２０３に進みＰＣ１０７に、座標データを送信し、ステップＳ２０４に進む。ステップＳ２０４ではペンダウンであったかの判定を行いペンダウンでない場合はステップＳ２０１に戻る。ペンダウンの場合にはステップＳ２０５に進み、次のペン入力があるかを調べ、入力があればステップＳ２０６へ進む。ステップＳ２０６では画像Ｂ１０３内の座標指示かの判定を行い、画像Ｂ１０３外の場合はステップＳ２０８へ進む。ステップＳ２０６で画像Ｂ１０３内の座標指示の場合にはステップＳ２０７に進み、ＰＣ１０７へ座標データを送信し、ステップＳ２０８に進む。ステップＳ２０８ではペンアップかの判定を行いペンアップの場合には、ステップＳ２０１に戻り、ペンアップではない場合にはステップＳ２０５に戻る。
【００４４】
ステップＳ２０６において画像Ｂ１０３外の入力になった場合に、ペンアップをＰＣ１０７へ送信し、再度画像Ｂ１０３内を座標指示したときに、描画ソフトの線が画像Ｂ１０３を出た座標と画像Ｂ１０３内に入った座標を直線で結ぶことが無いようにしても構わない。また、ステップＳ２０６で画像Ｂ１０３外と判定したときには常にペンアップとしてＰＣ１０７へ送信しても構わない。又は、画像Ｂ１０３内から外に出たときの一度だけペンアップをＰＣ１０７へ送信しても構わない。
【００４５】
このように本実施の形態２によれば、画像Ａ１０２に対する入力の操作性を低下することなく、画像Ｂ１０３への周縁部の操作性を向上することができる。
【００４６】
Ｓ２０８において、ペンアップかの判定ではなく、前回の入力からの時間が指定時間以上経過したかの判定にすれば連続操作判定方法２となり、前回のペンアップの位置と次の座標入力の位置が指定距離以上離れたかどうかの判定に変更すれば連続操作判定方法３となる。そのため、連続操作判定方法２と連続操作判定方法３のフローチャートは省略する。
【００４７】
なお本発明は、前述した実施の形態の機能を実現するソフトウェアのプログラムを、システム或いは装置に直接或いは遠隔から供給し、そのシステム或いは装置のコンピュータが、その供給されたプログラムコードを読み出して実行することによっても達成される場合を含む。その場合、プログラムの機能を有していれば、その形態はプログラムである必要はない。従って、本発明の機能処理をコンピュータで実現するために、該コンピュータにインストールされるプログラムコード自体も本発明を実現するものである。つまり、本発明には、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００４８】
プログラムを供給するための記憶媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。その他のプログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記憶媒体にダウンロードすることによっても供給できる。また本発明のプログラムを構成するプログラムコードを複数のファイルに分割し、それぞれのファイルを異なるホームページからダウンロードすることによっても実現可能である。つまり本発明の機能処理をコンピュータで実現するためのプログラムファイルを複数のユーザに対してダウンロードさせるＷＷＷサーバも、本発明のクレームに含まれるものである。
【００４９】
また、本発明のプログラムを暗号化してＣＤ−ＲＯＭ等の記憶媒体に格納してユーザに配布し、所定の条件を満足するユーザに対してインターネットを介してホームページから暗号化を解く鍵情報をダウンロードさせ、その鍵情報を使用することにより暗号化されたプログラムを実行してコンピュータにインストールさせて実現することも可能である。
【００５０】
またコンピュータが、読み出したプログラムを実行することによって、前述した実施形態の機能が実現される他、そのプログラムの指示に基づき、コンピュータ上で稼動しているＯＳなどが、実際の処理の一部又は全部を行ない、その処理によっても前述した実施形態の機能が実現され得る。
【００５１】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部又は全部を行ない、その処理によっても前述した実施形態の機能が実現される。
【図面の簡単な説明】
【００５２】
【図１】本発明の実施の形態に係る座標入力機能付画像座標入力装置を含む座標入力システムを説明する図である。
【図２】本実施の形態に係る座標入力システムの機能構成を説明するブロック図である。
【図３】本発明の実施の形態１に係る動作を説明する図である。
【図４】本発明の実施の形態１に係る座標入力装置における処理を説明するフローチャートである。
【図５】本発明の実施の形態２に係る動作を説明する図である。
【図６】本発明の実施の形態２に係る座標入力装置における処理を説明するフローチャートである。
【図１】
2007072503.tif 000003
【図２】
2007072503.tif 000004
【図３】
2007072503.tif 000005
【図４】
2007072503.tif 000006
【図５】
2007072503.tif 000007
【図６】
2007072503.tif 000008